(57)【要約】【課題】投射ランプの累積点灯時間を正確に計測すると共に、記憶部への書換え回数を抑制すること。【解決手段】画像投射装置１は、投射ランプの累積点灯時間および前回の使用点灯時間を記憶する不揮発性の記憶部３０と、投射ランプの点灯開始から、投射ランプの今回の使用点灯時間を計測する点灯時間計測手段と、点灯時間計測手段により計測している今回の使用点灯時間を、所定の時間間隔毎に、記憶部３０に書き込むと共に、所定の時間間隔毎に、今回の使用点灯時間に基づいて、記憶部３０に記憶された累積点灯時間を更新する累積時間更新手段と、今回の使用点灯時間が、前回の使用点灯時間を超えた時点で、時間間隔を設定変更する間隔変更手段と、を備えたものである。【選択図】図３
2008197274.tif 000002
【特許請求の範囲】
【請求項１】
投射ランプの投射光により画像を投射する画像投射装置において、
前記投射ランプの累積点灯時間および前回の使用点灯時間を記憶する不揮発性の記憶部と、
前記投射ランプの点灯開始から、前記投射ランプの今回の使用点灯時間を計測する点灯時間計測手段と、
前記点灯時間計測手段により計測している今回の前記使用点灯時間を、所定の時間間隔毎に、前記記憶部に書き込むと共に、前記所定の時間間隔毎に、今回の前記使用点灯時間に基づいて、前記記憶部に記憶された前記累積点灯時間を更新する累積時間更新手段と、
今回の前記使用点灯時間が、前回の前記使用点灯時間を超えた時点で、前記時間間隔を設定変更する間隔変更手段と、を備えたことを特徴とする画像投射装置。
【請求項２】
前記間隔変更手段は、今回の前記使用点灯時間が、前回の前記使用点灯時間を超えた場合、前記時間間隔を短く設定変更することを特徴とする請求項１に記載の画像投射装置。
【請求項３】
前記投射ランプの点灯開始前に、前記記憶部に記憶された前回の前記使用点灯時間に基づいて、前記時間間隔の設定を行なう間隔設定手段を更に備え、
前記間隔設定手段は、前回の前記使用点灯時間が、予め設定された基準使用時間よりも短い場合は、前記基準使用時間よりも長い場合に比して、前記時間間隔を短く設定することを特徴とする請求項１または２に記載の画像投射装置。
【請求項４】
投射ランプの投射光により画像を投射する画像投射装置において、
前記投射ランプの累積点灯時間および１回の平均使用点灯時間を記憶する記憶部と、
前記投射ランプの点灯開始から、前記投射ランプの使用点灯時間を計測する点灯時間計測手段と、
前記点灯時間計測手段により計測している前記使用点灯時間に基づいて、所定の時間間隔毎に、前記記憶部に記憶された前記累積点灯時間を更新する累積時間更新手段と、
前記使用点灯時間が前記平均使用点灯時間を超えた時点で、前記時間間隔を設定変更する間隔変更手段と、を備えたことを特徴とする画像投射装置。
【請求項５】
投射ランプの投射光により画像を投射する画像投射装置による前記投射ランプの累積点灯時間の計測方法において、
前記投射ランプの点灯開始から、前記投射ランプの今回の使用点灯時間を計測する点灯時間計測工程と、
計測している今回の前記使用点灯時間を、所定の時間間隔毎に、前記記憶部に書き込むと共に、前記所定の時間間隔毎に、今回の前記使用点灯時間に基づいて、前記記憶部に記憶された前記累積点灯時間を更新する累積時間更新工程と、
今回の前記使用点灯時間が、前回の前記使用点灯時間を超えた時点で、前記時間間隔を設定変更する間隔変更工程と、
を備えたことを特徴とする投射ランプの累積点灯時間の計測方法。
【請求項６】
投射ランプの投射光により画像を投射する画像投射装置による前記投射ランプの累積点灯時間の計測方法において、
前記投射ランプの点灯開始から、前記投射ランプの今回の使用点灯時間を計測する点灯時間計測工程と、
計測している今回の前記使用点灯時間に基づいて、所定の時間間隔毎に、記憶部に記憶された累積点灯時間を更新する累積時間更新工程と、
前記使用点灯時間が前記平均使用点灯時間を超えた時点で、前記時間間隔を設定変更する間隔変更工程と、を備えたことを特徴とする投射ランプの累積点灯時間の計測方法。
【発明の詳細な説明】
【技術分野】
【０００１】
本発明は、投射ランプの投射光により画像を投射する画像投射装置および投射ランプの累積点灯時間の計測方法に関するものである。
【背景技術】
【０００２】
従来、この種の画像投射装置として、投射ランプの寿命を把握するために、投射ランプの累積点灯時間を所定の時間間隔で不揮発性のメモリに記憶するものが知られている（特許文献１参照）。これにより、投射ランプの消灯後、クールダウンを行なわずに電源ＯＦＦとなる機種における投射ランプの使用点灯時間を記憶できるようになっている。
【特許文献１】特開２００４−２０５９０８号公報
【発明の開示】
【発明が解決しようとする課題】
【０００３】
ところで、上記の構成において、投射ランプの累積点灯時間を正確に計測するには、時間間隔を短く設定することにより実現することが可能だが、その反面、不揮発性メモリへの書換え回数が多くなってしまい、不揮発性メモリの書換え保証回数（メモリ寿命）を上回ってしまう虞がある。このため、不揮発性メモリへの書換え回数を抑制すべく、時間間隔を長く設定することが考えられるが、この場合、最後の累積点灯時間の書換えから、電源ＯＦＦ（消灯）までの時間が正確に把握できないため、投射ランプの累積点灯時間を正確に計測することは困難となってしまう問題がある。
【０００４】
本発明は、投射ランプにおける累積点灯時間の計測精度を高めることができると共に、記憶部への書換え回数を抑制することが可能な画像投射装置および投射ランプの累積点灯時間の計測方法を提供することを課題とする。
【課題を解決するための手段】
【０００５】
本発明の画像投射装置は、投射ランプの投射光により画像を投射する画像投射装置において、投射ランプの累積点灯時間および前回の使用点灯時間を記憶する不揮発性の記憶部と、投射ランプの点灯開始から、投射ランプの今回の使用点灯時間を計測する点灯時間計測手段と、点灯時間計測手段により計測している今回の使用点灯時間を、所定の時間間隔毎に、記憶部に書き込むと共に、所定の時間間隔毎に、今回の使用点灯時間に基づいて、記憶部に記憶された累積点灯時間を更新する累積時間更新手段と、今回の使用点灯時間が、前回の使用点灯時間を超えた時点で、時間間隔を設定変更する間隔変更手段と、を備えたことを特徴とする。
【０００６】
本発明の投射ランプの累積点灯時間の計測方法は、投射ランプの投射光により画像を投射する画像投射装置による投射ランプの累積点灯時間の計測方法において、投射ランプの点灯開始から、投射ランプの今回の使用点灯時間を計測する点灯時間計測工程と、計測している今回の使用点灯時間を、所定の時間間隔毎に、記憶部に書き込むと共に、所定の時間間隔毎に、今回の使用点灯時間に基づいて、記憶部に記憶された累積点灯時間を更新する累積時間更新工程と、今回の使用点灯時間が、前回の使用点灯時間を超えた時点で、時間間隔を設定変更する間隔変更工程と、を備えたことを特徴とする。
【０００７】
この場合、間隔変更手段は、今回の使用点灯時間が、前回の使用点灯時間を超えた場合、時間間隔を短く設定変更することが、好ましい。
【０００８】
この構成によれば、所定の時間間隔毎に、今回使用された投射ランプの使用点灯時間を記憶部に書き込むことができると共に、累積点灯時間を更新することができる。また、今回の使用点灯時間が、前回の使用点灯時間を超えると、時間間隔が変更される。ここで、例えば、今回の使用点灯時間が、前回の使用点灯時間を超えた場合、時間間隔を短く設定変更すると、前回の使用点灯時間を超える前は、長い時間間隔で、累積点灯時間を更新することができ、前回の使用点灯時間を超えた後は、短い時間間隔で、累積点灯時間を更新することができる。すなわち、前回の使用点灯時間を、投射ランプの使用終了時間として予測し、予測した使用終了時間まではメモリの書換え回数を抑制することができる一方、予測した使用終了時間を超えた場合は、累積点灯時間の計測精度を高めることが可能になる。
【０００９】
この場合、投射ランプの点灯開始前に、記憶部に記憶された前回の使用点灯時間に基づいて、時間間隔の設定を行なう間隔設定手段を更に備え、間隔設定手段は、前回の使用点灯時間が、予め設定された基準使用時間よりも短い場合は、基準使用時間よりも長い場合に比して、時間間隔を短く設定することが、好ましい。
【００１０】
この構成によれば、前回の使用点灯時間が、基準使用時間に達していない場合は、投射ランプの使用を直ぐに終了することが想定されるため、時間間隔を短く設定することで、高い精度の計測を優先させることができる。一方、前回の使用点灯時間が、基準使用時間を超えている場合は、投射ランプを長く使用することが想定されるため、時間間隔を長く設定することで、記憶部への書き換え回数を抑制することができる。
【００１１】
本発明の他の画像投射装置は、投射ランプの投射光により画像を投射する画像投射装置において、投射ランプの累積点灯時間および１回の平均使用点灯時間を記憶する記憶部と、投射ランプの点灯開始から、投射ランプの使用点灯時間を計測する点灯時間計測手段と、点灯時間計測手段により計測している使用点灯時間に基づいて、所定の時間間隔毎に、記憶部に記憶された累積点灯時間を更新する累積時間更新手段と、使用点灯時間が平均使用点灯時間を超えた時点で、時間間隔を設定変更する間隔変更手段と、を備えたことを特徴とする。
【００１２】
また、本発明の他の投射ランプの累積点灯時間の計測方法は、投射ランプの投射光により画像を投射する画像投射装置による投射ランプの累積点灯時間の計測方法において、投射ランプの点灯開始から、投射ランプの今回の使用点灯時間を計測する点灯時間計測工程と、計測している今回の使用点灯時間に基づいて、所定の時間間隔毎に、記憶部に記憶された累積点灯時間を更新する累積時間更新工程と、使用点灯時間が平均使用点灯時間を超えた時点で、時間間隔を設定変更する間隔変更工程と、を備えたことを特徴とする。
【００１３】
この構成によれば、今回の使用点灯時間が、投射ランプが最も使用される平均使用点灯時間を超えた場合は、短い時間間隔で累積点灯時間が更新される一方、平均使用点灯時間を超える前は、長い時間間隔で累積点灯時間が更新される。これにより、平均使用点灯時間を超える前は、記憶部への書換え回数を抑制することができ、平均使用点灯時間を超えた場合は、高い精度の計測を優先させることができる。
【発明を実施するための最良の形態】
【００１４】
以下、添付の図面を参照して、本発明の実施形態に係る画像投射装置および投射ランプの累積点灯時間の計測方法について説明する。本実施形態に係る画像投射装置は、投射ランプの前回の使用点灯時間に応じて時間間隔を設定し、今回の投射ランプの使用点灯時間および累積点灯時間を記憶するものである。なお、本実施形態では、画像投射装置としてプロジェクタを用いた場合を例に挙げて説明する。
【００１５】
図１および図２は、プロジェクタ１を前方および後方からそれぞれ見た外観斜視図である。両図に示すように、プロジェクタ１は、略直方形状のケース２により外殻が形成され、ケース２の前面右部に内蔵した投射ランプ３の光軸上に位置して、レンズ４が配設されている。
【００１６】
ケース２上面には、プロジェクタ１の起動・調整操作を行うための操作パネル５が設けられている。操作パネル５には、電源ボタン６や、外部機器の入力切換え行うための入力切換ボタン７などの複数の操作ボタン８が配設されており、これら操作ボタン８を適宜押下することによりプロジェクタ１の所望の操作を行うようになっている。
【００１７】
ケース２上面のレンズ４近傍には、投射ランプ３による投射光の上下方向の変調調整を行うための上下調整ダイヤル９と、左右方向の変調調整を行うための左右調整ダイヤル１０と、が左右に並んで配設されている。投射ランプ３は、液晶パネル（図示省略）で変調形成された光学像を拡大投射する機能を備えており、上記のレンズ４は組レンズで構成されている。ケース２下面には、前部の２つの調整脚部１１、１１と、後部の１つの固定脚部１２と、が配設され、投射時におけるプロジェクタ１の上下方向および左右方向の位置調整が可能になっている。
【００１８】
ケース２の前面には、リモコン受光窓１３が形成されている。リモコン受光窓１３の内部には、図外のリモートコントローラ（リモコン）からの操作信号を受信するリモコン受光部２１が設けられている。なお、リモートコントローラには、上述した操作パネル５に設けられた操作ボタン８と同様の機能を有し、例えば、プロジェクタ１に接続された外部機器の入力切換ボタンが設けられており、それらを操作すると、操作に応じた赤外線信号がリモートコントローラから出力され、リモコン受光窓１３を介してリモコン受光部２１で受光されて、制御信号に変換された後、後述する制御部２０で処理が行われる。
【００１９】
ケース２の後面には、窪み部１６が設けられ、この窪み部１６の下部に位置して電源コネクタ１７が配設されている。また、窪み部１６には、ＰＣやＤＶＤ等の外部機器から画像信号および音声信号等を入力するための複数の接続端子１８が配設されている。窪み部１６の横には、上記のリモコン受光窓１３と同一のリモコン受光窓１３と、音声を出力するためのスピーカ１９と、が配設されている。また、図１および図２では省略したが、ケース２の内部には、プロジェクタ１を統括制御する制御部２０を構成する回路基板が搭載されている。
【００２０】
次に、図３を参照して、本実施形態に係るプロジェクタ１の制御系について説明する。同図に示すように、プロジェクタ１は、入力処理部２２と、電源部２３と、入力選択部２４と、映像処理部２５と、映像出力部２６と、映像投射部２７と、タイマ部２９と、記憶部３０と、これらを統括制御する制御部２０と、を備えている。
【００２１】
入力処理部２２は、リモコン受光部２１が受光したリモコン３１の入力切換操作および操作ボタン８の入力操作による入力信号処理を行う。電源部２３は、電源コネクタ１７を介して外部電源からプロジェクタ１の各部に電力を供給する。入力選択部２４は、制御部２０の指示に従い、複数の接続端子１８に接続された外部機器からの入力信号を選択して、選択した入力信号を映像処理部２５に出力する。
【００２２】
映像処理部２５は、制御部２０の指示に従い、入力選択部２４で選択された入力信号に対して、所定の映像処理を施し映像出力部２６に出力する。映像出力部２６は、映像処理部２５で映像処理が施された映像信号を、映像投射部２７に出力する。映像投射部２７は、投射ランプ３やレンズ４等の光学系部品を含んで構成され、映像出力部２６から出力された映像をスクリーン等に投射する。なお、映像出力部２６および映像投射部２７は、映像表示部を構成するものである。
【００２３】
タイマ部２９は、投射ランプの点灯開始から、投射ランプ３の今回の使用点灯時間を計測する（点灯時間計測手段）。記憶部３０は、主要部が不揮発性のＲＡＭで構成され、投射ランプ３の使用点灯時間および累積点灯時間を記憶する。
【００２４】
制御部２０は、ＣＰＵ、ＲＯＭ、ＲＡＭおよびこれらを接続する内部バス等で構成されている。プロジェクタ１の各部から各種信号およびデータが入力されると、ＣＰＵは、ＲＯＭ内に記憶された制御プログラムに従って、入力された各種信号およびデータに基づいて、ＲＡＭ内の各種データを演算処理し、各部に各種信号およびデータを出力する。
【００２５】
具体的には、制御部２０は、投射ランプ３の投射開始前に、記憶部３０から投射ランプ３の前回の使用点灯時間を読み出し、この前回の使用点灯時間に基づいて、今回の使用点灯時間および累積点灯時間を記憶する時間間隔を設定する（間隔設定手段）。制御部２０は、読み出した使用点灯時間が、予め設定された基準使用時間よりも短い場合、基準使用時間よりも長い場合に比べて時間間隔を短く設定する。
【００２６】
また、制御部２０は、投射ランプ３の今回の使用点灯時間が、前回の使用点灯時間を超えた時点で、設定した時間間隔を変更する（間隔変更手段）。ここで、変更される時間間隔は、前回の使用点灯時間を超える前に設定された時間間隔に比べて、超えた後に設定された時間間隔の方が短くなる。また、制御部２０は、タイマ部２９により計測している今回の使用点灯時間を、間隔設定手段および間隔変更手段により設定された所定の時間間隔毎に、記憶部３０に書き込むと共に、所定の時間間隔毎に、今回の使用点灯時間に基づいて、記憶部３０に記憶された累積点灯時間を更新する（累積時間更新手段）。
【００２７】
なお、点灯時間計測手段、間隔設定手段、間隔変更手段および累積時間更新手段は、ＣＰＵが、ＲＯＭ内の制御プログラムに従って各種データを演算し、さらにタイマ部２９および記憶部３０と協働して処理を実行することにより実現されるものである。
【００２８】
次に、図４を参照して、本実施形態に係るプロジェクタ１の今回の使用点灯時間および累積点灯時間の記憶動作について説明する。なお、本実施形態では、基準使用時間を１時間として、前回の使用点灯時間を２時間として説明する。
【００２９】
まず、電源ボタン６が押下され、プロジェクタ１が電源オン状態になると（Ｓ１）、制御部２０は、記憶部３０から投射ランプ３の前回の使用点灯時間を読み出す（Ｓ２）。次に、Ｓ２で読み出した前回の使用点灯時間と基準使用時間（１時間）とを比較して（Ｓ３）、今回の使用点灯時間および累積点灯時間を記憶するための時間間隔を設定する。ここで、前回の使用点灯時間が、基準使用時間未満の場合には（Ｓ３：Ｙｅｓ）、今回の使用点灯時間も基準使用時間未満であると推定して、時間間隔を短い時間（例えば５分）に設定する（Ｓ４）。
【００３０】
一方、前回の使用点灯時間が、基準使用時間以上の場合には（Ｓ３：Ｎｏ）、今回の使用点灯時間も基準使用時間以上であると推定して、時間間隔を、基準時間未満の場合と比較して長い時間（例えば１５分）に設定する（Ｓ５）。本実施形態では、前回の使用点灯時間（２時間）が基準使用時間（１時間）以上であるため、更新時間間隔が１５分に設定される。
【００３１】
つまり、前回の使用点灯時間が、基準使用時間に達していない場合は、投射ランプ３の使用を直ぐに終了することが想定されるため、時間間隔を短く設定することで、精度の高い計測を優先させることができる。一方、前回の使用点灯時間が、基準使用時間を超えている場合は、投射ランプ３を長く使用することが想定されるため、時間間隔を長く設定することで、記憶部３０への書換え回数を抑制することができる。
【００３２】
次に、映像投射部２７は、投射ランプ３を点灯させて映像を投射すると共に、タイマ部２９は、投射ランプ３の使用点灯時間を計測する（Ｓ６）。続いて、タイマ部２９の計測時間に基づいて、設定した時間間隔（１５分）を経過したか否かを判別する（Ｓ７）。設定した時間間隔（１５分）を経過した場合には（Ｓ７：Ｙｅｓ）、記憶部３０に、計測した時間間隔（１５分）が今回の使用点灯時間として記憶されると共に、この使用点灯時間が今までの累積点灯時間に加算されて記憶される（Ｓ８）。
【００３３】
次に、今回の使用点灯時間が、前回の使用点灯時間（すなわち２時間）を超えたか否か判別し（Ｓ９）、前回の使用点灯時間を超えた場合には（Ｓ９：Ｙｅｓ）、時間間隔を１５分から５分に設定変更させ（Ｓ１０）、変更した時間間隔に基づいて、今回の使用点灯時間および累積点灯時間の計測（タイマ）を再スタートする（Ｓ１１）。
【００３４】
そして、タイマ部２９の計測時間に基づいて、設定した時間間隔（５分）を経過したか否か判別する（Ｓ１２）。設定した時間間隔が５分を経過した場合には（Ｓ１２：Ｙｅｓ）、今回の使用点灯時間が記憶部３０に記憶されると共に、この使用点灯時間が累積点灯時間に加算されて記憶される（Ｓ１３）。そして、処理がＳ１２に戻り、電源がオフされるまで繰り返される。一方、Ｓ９において、前回の使用点灯時間を超えてない場合には（Ｓ９：Ｎｏ）、処理がＳ７に戻り、前回の使用点灯時間を超えるまで繰り返される。
【００３５】
この構成によれば、前回使用した投射ランプ３の使用点灯時間に基づいて、時間間隔を設定することができ、設定された時間間隔に基づいて、累積点灯時間および使用点灯時間を更新することができる。また、今回の使用点灯時間が、前回の使用点灯時間を超えると、時間間隔が変更される。すなわち、前回の使用点灯時間を、投射ランプ３の使用終了時間として予測し、予測した使用終了時間までは記憶部３０への書換え回数を抑制することができる一方、予測した使用終了時間を超えた場合は、累積点灯時間の正確な計測を行なうことが可能になる。これにより、投射ランプ３の累積点灯時間の計測精度を高めることができると共に、記憶部３０への書換え回数を抑制することができる。したがって、記憶部３０の寿命を延ばすことができると共に、投射ランプ３の寿命を精度良く教示することができる。
【００３６】
次に、本発明の第２実施形態に係るプロジェクタ１について説明する。本実施形態のプロジェクタ１は、記憶部３０に記憶された投射ランプ３の１回の平均使用点灯時間に基づいて、時間間隔を設定している。具体的には、制御部２０は、投射ランプ３の投射開始前に、記憶部３０に記憶された投射ランプ３の１回の平均使用点灯時間に基づいて、今回の使用点灯時間および累積点灯時間を記憶する時間間隔を設定し（間隔設定手段）、投射ランプ３の今回の使用点灯時間が、平均使用点灯時間を超えた時点で、設定した時間間隔を短く変更する（間隔変更手段）。
【００３７】
次に、図５を参照して、本実施形態に係るプロジェクタ１の今回の使用点灯時間および累積点灯時間の記憶動作について説明する。本実施形態では、投射ランプ３の平均使用点灯時間を１時間として説明する。まず、電源ボタン６が押下され、プロジェクタ１が電源オン状態になると（Ｓ２１）、制御部２０は、記憶部３０に記憶された投射ランプ３の１回の平均使用点灯時間により、今回の使用点灯時間および累積点灯時間を記憶するための時間間隔（例えば、１５分）を設定する（Ｓ２２）。
【００３８】
次に、映像投射部２７は、投射ランプ３を点灯させて映像を投射すると共に、タイマ部２９は、投射ランプ３の使用点灯時間を計測する（Ｓ２３）。続いて、タイマ部２９の計測時間に基づいて、設定した時間間隔（１５分）を経過したか否かを判別する（Ｓ２４）。設定した時間間隔（１５分）を経過した場合には（Ｓ２４：Ｙｅｓ）、記憶部３０に、計測した時間間隔（１５分）が今回の使用点灯時間として記憶されると共に、この使用点灯時間が今までの累積点灯時間に加算されて記憶される（Ｓ２５）。
【００３９】
次に、今回の使用点灯時間が、平均使用点灯時間（すなわち１時間）を超えたか否か判別し（Ｓ２６）、平均使用点灯時間を超えた場合には（Ｓ２６：Ｙｅｓ）、時間間隔を１５分から短い時間間隔（例えば５分）に設定変更させ（Ｓ２７）、変更した時間間隔に基づいて、今回の使用点灯時間および累積点灯時間の計測（タイマ）を再スタートする（Ｓ２８）。
【００４０】
そして、タイマ部２９の計測時間に基づいて、設定した時間間隔（５分）を経過したか否か判別する（Ｓ２９）。設定した時間間隔が５分を経過した場合には（Ｓ２９：Ｙｅｓ）、今回の使用点灯時間が記憶部３０に記憶されると共に、この使用点灯時間が累積点灯時間に加算されて記憶される（Ｓ３０）。そして、処理がＳ２９に戻り、電源がオフされるまで繰り返される。一方、Ｓ２６において、平均使用点灯時間を超えてない場合には（Ｓ２６：Ｎｏ）、処理がＳ２４に戻り、平均使用点灯時間を超えるまで繰り返される。
【００４１】
この構成によれば、今回の使用点灯時間が、投射ランプ３が最も使用される平均使用点灯時間を超えた場合は、短い時間間隔で累積点灯時間が更新される一方、平均使用点灯時間を超えない場合は、長い時間間隔で累積点灯時間が更新される。これにより、平均使用点灯時間を超えない場合、記憶部３０への書換え回数の抑制が優先され、平均使用点灯時間を超えた場合は、累積点灯時間の高い精度の計測が優先され、総じて書換え回数の抑制と累積点灯時間の高精度計測を達成することができる。したがって、記憶部３０の寿命を延ばすことができると共に、投射ランプ３の寿命を精度良く教示することができる。
【図面の簡単な説明】
【００４２】
【図１】本発明の実施形態に係るプロジェクタを前方から見た外観斜視図である。
【図２】本実施形態に係るプロジェクタを後方から見た外観斜視図である。
【図３】本実施形態に係るプロジェクタの制御系を説明するためのブロック図である。
【図４】本実施形態に係るプロジェクタの動作を説明するためのフローチャートである。
【図５】本発明の第２実施形態に係るプロジェクタの動作を説明するためのフローチャートである。
【符号の説明】
【００４３】
１…プロジェクタ（画像投射装置）  ３…投射ランプ  ２０…制御部  ２２…入力処理部  ２３…電源部  ２４…入力選択部  ２５…映像処理部  ２６…映像出力部  ２７…映像投射部  ２９…タイマ部  ３０…記憶部
【図１】
2008197274.tif 000003
【図２】
2008197274.tif 000004
【図３】
2008197274.tif 000005
【図４】
2008197274.tif 000006
【図５】
2008197274.tif 000007